(57)【要約】【課題】駆動用ＩＣに形成した配線に対する補強を適正に行うことのできる電気光学装置、電子機器、および実装構造体を提供すること。【解決手段】電気光学装置１は、電気光学パネルに接続された配線基板３と、配線基板３に実装された駆動用ＩＣ２とを有している。駆動用ＩＣ２は、一方方向Ａに延在する第１配線２６を有し、配線基板３は、駆動用ＩＣ２と重なる位置で第１配線２６の両端部に接続して、第１配線２６に並列に電気的に接続された第１補強線３６を有している。例えば、第１配線２６は、入力端子２８３から端子２８４、２８５まで延在し、配線基板３は、入力端子２８３が接続された電極３８３を介して入力端子２８３に給電する配線３４と、端子２８４、２８５が接続される電極３８４、３８５に接続された第１補強線３６とを有している。【選択図】図６
2020016818.tif 000002
【特許請求の範囲】
【請求項１】
電気光学パネルと、
前記電気光学パネルに接続された配線基板と、
前記配線基板に実装された駆動用ＩＣと、
を有し、
前記駆動用ＩＣは、一方方向に延在する第１配線を有し、
前記配線基板は、前記駆動用ＩＣと重なる位置に前記第１配線に並列に電気的に接続された第１補強線を有することを特徴とする電気光学装置。
【請求項２】
請求項１に記載の電気光学装置において、
前記第１補強線は、前記第１配線の延在方向の両側の端部に電気的に接続されていることを特徴とする電気光学装置。
【請求項３】
請求項１または２に記載の電気光学装置において、
前記配線基板は、前記第１配線の前記一方方向の反対側の端部に給電することを特徴とする電気光学装置。
【請求項４】
請求項１から３までの何れか一項に記載の電気光学装置において、
前記駆動用ＩＣは、前記一方方向に配列された複数の出力回路を有し、
前記第１配線は、前記複数の出力回路の各々に給電することを特徴とする電気光学装置。
【請求項５】
請求項４に記載の電気光学装置において、
前記電気光学パネルは、複数の第１画素が第１方向に沿って配列された第１画素列が前記第１方向に交差する第２方向に沿って複数配列された第１画素群と、複数の第２画素が前記第１方向に沿って配列された第２画素列が前記第２方向に沿って複数配列された第２画素群と、前記第１画素群および前記第２画素群の各々から画像信号の供給先となる前記第１画素列および前記第２画素列を選択する選択回路と、を有し、
前記駆動用ＩＣは、前記第１画素群に供給すべき前記画像信号を出力する第１出力端子と、前記一方方向で離間する位置で前記第２画素群に供給すべき画像信号を出力する第２出力端子と、を有し、
前記複数の出力回路は、前記第１画素群および前記第２画素群に供給するプリチャージ電圧を前記第１配線から前記第１出力端子および前記第２出力端子を介して出力することを特徴とする電気光学装置。
【請求項６】
請求項１から５までの何れか一項に記載の電気光学装置において、
前記駆動用ＩＣは、前記第１配線が接続する第１端子と、前記第１端子に対して前記一方方向に対して交差する他方方向で離間する第２端子と、前記第１端子および前記第２端子に対して前記一方方向で離間する第３端子と、を有し、
前記配線基板は、前記第１端子が接続される第１電極と、前記第２端子が接続される第２電極と、前記第３端子が接続される第３電極と、前記第１電極を介して前記第１配線に給電する配線と、を有し、
前記第１配線は、前記第１端子と前記第２端子とを接続する接続する第１部分と、前記第１部分から前記一方方向に延在する第２部分と、前記第２部分から延在して前記第３端子に接続する第３部分と、を備え、
前記第１補強線は、前記第２電極から前記第３電極まで延在していることを特徴とする電気光学装置。
【請求項７】
請求項６に記載の電気光学装置において、
前記第１補強線は、さらに、前記第１電極から前記第２電極まで延在していることを特徴とする電気光学装置。
【請求項８】
請求項１から５までの何れか一項に記載の電気光学装置において、
前記駆動用ＩＣは、前記第１配線が接続する第１端子と、前記第１端子に対して前記一方方向で離間する第２端子と、を有し、
前記配線基板は、前記第１端子が接続される第１電極と、前記第２端子が接続される第２電極と、前記第１電極を介して前記第１配線に給電する配線と、を有し、
前記第１配線は、前記第１端子から前記第２端子まで延在し、
前記第１補強線は、前記第１電極から前記第２電極まで延在していることを特徴とする電気光学装置。
【請求項９】
請求項１から８までの何れか一項に記載の電気光学装置において、
前記駆動用ＩＣは、前記一方方向に延在する第２配線を有し、
前記配線基板は、前記駆動用ＩＣと重なる位置に前記第２配線に並列に電気的に接続された第２補強線を有することを特徴とする電気光学装置。
【請求項１０】
請求項１から９までの何れか一項に記載の電気光学装置において、
前記配線基板は、配線が同一層の金属層からなる単層基板であることを特徴とする電気光学装置。
【請求項１１】
請求項１から１０までの何れか一項に記載の電気光学装置において、
前記配線基板は、フレキシブル配線基板であることを特徴とする電気光学装置。
【請求項１２】
請求項１から１１までの何れか一項に記載の電気光学装置において、
前記駆動用ＩＣが実装された前記配線基板が前記光学パネルに複数、接続されていることを特徴とする電気光学装置。
【請求項１３】
請求項１から１２までの何れか一項に記載の電気光学装置を備えていることを特徴とする電子機器。
【請求項１４】
配線基板と、
前記配線基板の一方面に実装された駆動用ＩＣと、
を有し、
前記駆動用ＩＣは、一方方向に延在する第１配線を有し、
前記配線基板は、前記駆動用ＩＣと重なる位置に前記第１配線に並列に電気的に接続された第１補強線を有することを特徴とする実装構造体。
【請求項１５】
請求項１４に記載の実装構造体において、
前記駆動用ＩＣは、前記一方方向に延在する第２配線を有し、
前記配線基板は、前記駆動用ＩＣと重なる位置に前記第２配線に並列に電気的に接続された第２補強線を有することを特徴とする電気光学装置。
【発明の詳細な説明】
【技術分野】
【０００１】
本発明は、電気光学パネルに接続された配線基板に駆動用ＩＣが実装された電気光学装置、前記電気光学装置を備えた電子機器、および配線基板に駆動用ＩＣが実装された実装構造体に関するものである。
【背景技術】
【０００２】
電気光学装置の一例であるアクティブ駆動型の液晶装置は、投射型表示装置の光変調手段（ライトバルブ）等に多用されている。かかる電気光学装置では、電気光学パネルに接続されたフレキシブル配線基板に駆動用ＩＣが実装されており、駆動用ＩＣから出力された画像信号に基づいて画像を表示する（特許文献１参照）。また、特許文献１に記載の電気光学装置では、各水平走査期間にプリチャージ期間を設け、プリチャージ期間に各画素にプリチャージ電圧を供給することにより、縦クロストークを防止する構成が採用されている。
【０００３】
一方、電気光学パネルに用いたガラス配線基板に駆動用ＩＣを実装するとともに、ガラスに配線基板にフレキシブル配線基板を接続した電気光学装置において、駆動用ＩＣ内の配線を補強するために、フレキシブル配線基板の配線を利用した構成が記載されている。
【先行技術文献】
【特許文献】
【０００４】
【特許文献１】特開２０１５−２３２５９０号公報
【特許文献２】特開２００８−１８０８４８号公報
【発明の概要】
【発明が解決しようとする課題】
【０００５】
特許文献１に記載の電気光学装置においてプリチャージを行うにあたって、駆動用ＩＣ内のオペアンプでプリチャージ電圧を生成する構成では、駆動用ＩＣ内において、電源電位が変動しやすい。一方、フレキシブル配線基板を介して駆動用ＩＣにプリチャージ電圧を供給する場合、駆動用ＩＣ内でプリチャージ電圧が供給される配線の抵抗の影響で駆動用ＩＣの各出力回路から出力されるプリチャージ電圧が変動しやすいという問題点がある。一方、駆動用ＩＣ内の配線を補強する構造が特許文献２に記載されているが、かかる構成では、ガラス配線基板上の補強配線−フレキシブル配線基板の補強配線−ガラス配線基板の補強配線を利用している。このため、配線長が長くなり、抵抗を十分に下げることができないともに、補強配線がガラス配線基板やフレキシブル配線基板での配線のレイアウトに大きな制約を発生させるという問題点がある。
【０００６】
以上の問題点に鑑みて、本発明の課題は、駆動用ＩＣに形成した配線に対する補強を適正に行うことのできる電気光学装置、電子機器、および実装構造体を提供することにある。
【課題を解決するための手段】
【０００７】
上記課題を解決するため、本発明に係る電気光学装置は、電気光学パネルと、前記電気光学パネルに接続された配線基板と、前記配線基板に実装された駆動用ＩＣと、を有し、前記駆動用ＩＣは、一方方向に延在する第１配線を有し、前記配線基板は、前記駆動用ＩＣと重なる位置に前記第１配線に並列に電気的に接続された第１補強線を有することを特徴とする。
【０００８】
本発明に係る電気光学装置では、駆動用ＩＣの内部で一方方向に延在する第１配線に対して、配線基板に形成された第１補強線が並列に電気的に接続しているため、第１配線の抵抗を低下させたのと同様な効果を奏する。従って、第１配線が延在する一方方向において、第１配線の電圧が変動しにくい。また、第１補強線は、駆動用ＩＣと重なる位置に設けられているので、第１補強線のレイアウトが配線基板の他の配線の影響を受けにくい。また、第１補強線は、駆動用ＩＣと重なる位置に設けられているので、配線基板における配線のレイアウトに影響を及ぼしにくい。それ故、駆動用ＩＣに形成した配線に対する補強を適正に行うことができる。
【０００９】
本発明に係る電気光学装置において、前記第１補強線は、前記第１配線の延在方向の両側の端部で電気的に接続されている態様を採用することができる。
【００１０】
本発明に係る電気光学装置において、前記配線基板は、前記第１配線の前記一方方向の反対側の端部に給電する態様を採用することができる。かかる態様によれば、配線基板から第１配線に電圧を供給する電極や端子を駆動用ＩＣの端部の１個所に設ければよいという利点がある。
【００１１】
本発明に係る電気光学装置において、前記駆動用ＩＣは、前記一方方向に配列された複数の出力回路を有し、前記第１配線は、前記複数の出力回路の各々に給電する態様を採用することができる。
【００１２】
本発明に係る電気光学装置において、前記電気光学パネルは、複数の第１画素が第１方向に沿って配列された第１画素列が前記第１方向に交差する第２方向に沿って複数配列された第１画素群と、複数の第２画素が前記第１方向に沿って配列された第２画素列が前記第２方向に沿って複数配列された第２画素群と、前記第１画素群および前記第２画素群の各々から画像信号の供給先となる前記第１画素列および前記第２画素列を選択する選択回路と、を有し、前記駆動用ＩＣは、前記第１画素群に供給すべき前記画像信号を出力する第１出力端子と、前記一方方向で離間する位置で前記第２画素群に供給すべき画像信号を出力する第２出力端子と、を有し、前記複数の出力回路は、前記第１画素群および前記第２画素群に供給するプリチャージ電圧を前記第１配線から前記第１出力端子および前記第２出力端子を介して出力する態様を採用することができる。かかる態様の場合には、第１出力端子から出力されるプリチャージ電圧と第２出力端子から出力されるプリチャージ電圧とがばらつくという事態が発生しにくい。
【００１３】
本発明に係る電気光学装置において、前記駆動用ＩＣは、前記第１配線が接続する第１端子と、前記第１端子に対して前記一方方向に対して交差する他方方向で離間する第２端子と、前記第１端子および前記第２端子に対して前記一方方向で離間する第３端子と、を有し、前記配線基板は、前記第１端子が接続される第１電極と、前記第２端子が接続される第２電極と、前記第３端子が接続される第３電極と、前記第１電極を介して前記第１配線に給電する配線と、を有し、前記第１配線は、前記第１端子と前記第２端子とを接続する接続する第１部分と、前記第１部分から前記一方方向に延在する第２部分と、前記第２部分から延在して前記第３端子に接続する第３部分と、を備え、前記第１補強線は、前記第２電極から前記第３電極まで延在している態様を採用することができる。
【００１４】
本発明に係る電気光学装置において、前記第１補強線は、さらに、前記第１電極から前記第２電極まで延在している態様を採用してもよい。
【００１５】
本発明に係る電気光学装置において、前記駆動用ＩＣは、前記第１配線が接続する第１端子と、前記第１端子に対して前記一方方向で離間する第２端子と、を有し、前記配線基板は、前記第１端子が接続される第１電極と、前記第２端子が接続される第２電極と、前記第１電極を介して前記第１配線に給電する配線と、を有し、前記第１配線は、前記第１端子から前記第２端子まで延在し、前記第１補強線は、前記第１電極から前記第２電極まで延在している態様を採用してもよい。
【００１６】
本発明に係る電気光学装置において、前記駆動用ＩＣは、前記一方方向に延在する第２配線を有し、前記配線基板は、前記駆動用ＩＣと重なる位置に前記第２配線に並列に電気的に接続された第２補強線を有する態様を採用してもよい。
【００１７】
本発明に係る電気光学装置において、前記配線基板は、配線が同一層の金属層からなる単層基板である態様を採用することができる。本発明に係る電気光学装置において、前記配線基板は、フレキシブル配線基板である態様を採用することができる。
【００１８】
本発明に係る電気光学装置において、前記駆動用ＩＣが実装された前記配線基板が前記光学パネルに複数、接続されている態様を採用することができる。
【００１９】
本発明に係る電気光学装置は各種電子機器に用いることができる。電子機器が投射型表示装置である場合、投射型表示装置は、前記電気光学装置に供給される光を出射する光源部と、前記電気光学装置によって変調された光を投射する投射光学系と、を有している。
【００２０】
本発明の別態様は、配線基板と、前記配線基板の一方面に実装された駆動用ＩＣと、を有する実装構造体において、前記駆動用ＩＣは、一方方向に延在する第１配線を有し、前記配線基板は、前記駆動用ＩＣと重なる位置に前記第１配線に並列に電気的に接続された第１補強線を有することを特徴とする。
【００２１】
本発明に係る実装構造体では、駆動用ＩＣの内部で一方方向に延在する第１配線に対して、配線基板に形成された第１補強線が並列に電気的に接続しているため、第１配線の抵抗を低下させたのと同様な効果を奏する。従って、第１配線が延在する一方方向において、第１配線の電圧が変動しにくい。また、第１補強線は、駆動用ＩＣと重なる位置に設けられているので、第１補強線のレイアウトが配線基板の他の配線の影響を受けにくい。また、第１補強線は、駆動用ＩＣと重なる位置に設けられているので、配線基板における配線のレイアウトに影響を及ぼしにくい。それ故、駆動用ＩＣに形成した配線に対する補強を適正に行うことができる。
【００２２】
本発明に係る実装構造体において、前記駆動用ＩＣは、前記一方方向に延在する第２配線を有し、前記配線基板は、前記駆動用ＩＣと重なる位置に前記第２配線に並列に電気的に接続された第２補強線を有する態様を採用してもよい。
【図面の簡単な説明】
【００２３】
【図１】本発明を適用した電気光学装置の一態様を模式的に示す説明図である。
【図２】図１に示す電気光学装置の電気的構成を示す説明図である。
【図３】図２に示す画素およびデータ線選択回路の構成を示す説明図である。
【図４】図１に示す電気光学装置の動作例を示すタイミングチャートである。
【図５】図１に示す駆動用ＩＣの構成を示す説明図である。
【図６】図５に示す第１配線および第２配線に対する補強構造の第１例を模式的に示す説明図である。
【図７】図５に示す第１配線および第２配線に対する補強構造の第２例を模式的に示す説明図である。
【図８】図５に示す第１配線および第２配線に対する補強構造の第３例を模式的に示す説明図である。
【図９】本発明を適用した電気光学装置を用いた投射型表示装置の概略構成図である。
【発明を実施するための形態】
【００２４】
図面を参照して、本発明の実施の形態を説明する。なお、以下の説明で参照する図においては、各部材等を図面上で認識可能な程度の大きさとするため、各部材毎に縮尺を異ならしめてある。
【００２５】
［電気光学装置１の構成］
（基本構成）
図１は、本発明を適用した電気光学装置１の一態様を模式的に示す説明図である。図１に示す電気光学装置１は、後述するライトバルブ等として用いられる液晶装置であり、電気光学装置１は、電気光学パネル１００として液晶パネルを備えている。電気光学パネル１００は、画素電極（図示せず）等が形成された素子基板１０１に対して、共通電極（図示せず）等が形成された対向基板１０２がシール材（図示せず）によって貼り合わされている。電気光学パネル１００において、シール材で囲まれた領域には液晶材料（図示せず）が設けられている。本形態の電気光学パネル１００は透過型液晶パネルである。従って、素子基板１０１および対向基板１０２には、耐熱ガラスや石英基板等の透光性基板が用いられている。
【００２６】
本形態の電気光学装置１において、電気光学パネル１００の素子基板１０には、駆動用ＩＣ２が実装された配線基板３（実装構造体４／実装基板）が接続されており、駆動用ＩＣ２から電気光学パネル１００には配線基板３を介して画像信号等が出力される。従って、配線基板３の端部において、素子基板１０と重なる位置には、複数の出力電極３０２が形成されている一方、素子基板１０の端部には、複数の出力電極３０２が各々接続される画像信号入力端子１６等の複数の端子が形成されている。本形態において、駆動用ＩＣ２が実装された配線基板３（実装構造体４）が複数接続されている。より具体的には、素子基板１０には、第１駆動用ＩＣ２１が実装された第１配線基板３１（第１実装構造体４１）と、第２駆動用ＩＣ２２が実装された第２配線基板３２（第２実装構造体４２）とが接続されており、第１駆動用ＩＣ２１および第２駆動用ＩＣ２２から電気光学パネル１００には第１配線基板３１および第２配線基板３２を介して画像信号等が出力される。従って、第１配線基板３１の端部には、素子基板１０と重なる位置に複数の出力電極３１２（出力電極３０２）が形成されている一方、素子基板１０の端部には、画像信号入力端子１６１（画像信号入力端子１６）等の複数の端子が形成されている。また、第２配線基板３２の端部には、素子基板１０と重なる位置に複数の出力電極３２２（出力電極３０２）が形成されている一方、素子基板１０の端部には、画像信号入力端子１６２（画像信号入力端子１６）等の複数の端子が形成されている。画像信号入力端子１６１、１６２は各々、ｙ方向でずれた位置で素子基板１０の縁に沿って配列されている。また、画像信号入力端子１６１と画像信号入力端子１６２は各々、ｘ方向でずれている。
【００２７】
配線基板３（第１配線基板３１および第２配線基板３２）には、片面配線基板が用いられている。配線基板３は、配線が同一層の金属層からなる単層基板、および配線が複数層の金属層からなる多層基板のいずれを用いてもよいが、本形態において、配線基板３は単層基板からなる。配線基板３（第１配線基板３１および第２配線基板３２）は、フレキシブル配線基板からなる。それ故、配線基板３（第１配線基板３１および第２配線基板３２）は、いわゆるＣＯＦ（Chip On Film）である。
【００２８】
（電気光学装置１の電気的構成）
図２は、図１に示す電気光学装置１の電気的構成を示す説明図である。図２に示すように、電気光学パネル１００は、表示領域１１０、走査線駆動回路１３０、データ線選択回路１５０（選択回路）、ｎ本の画像信号線１６０と、ｎ個の画像信号入力端子１６と、ｋ本の選択信号線１４０と、ｋ個の選択信号入力端子１４５と、複数の電源端子１７１、１７２、１７３と、電源端子１７１、１７２、１７３に対応する電源線１７４、１７５、１７６とを有している。ｎは、１以上の整数であり、ｋは２以上の整数である。図２に示す形態においてはｋ＝４である。これらの要素は、図１に示す素子基板１０１上に形成されている。素子基板１０１には、表示領域１１０の周辺部の一辺に沿ってデータ線選択回路１５０が形成され、データ線選択回路１５０が形成された辺と交差する他の辺に沿って走査線駆動回路１３０が形成されている。
【００２９】
第１駆動用ＩＣ２１および第２駆動用ＩＣ２２は、外部の上位回路（図示せず）から第１配線基板３１および第２配線基板３２（図１参照）を介して入力されるクロック信号、制御信号、および画像データ等に従って、電気光学パネル１００に表示させる画像を示す画像信号を出力する。電気光学パネル１００は、第１駆動用ＩＣ２１、第１配線基板３１、第２駆動用ＩＣ２２、および第２配線基板３２から入力されるクロック信号および画像信号に基づいて画像を表示する。第１駆動用ＩＣ２１および第２駆動用ＩＣ２２は、同一の構成を有しており、画像信号以外は同一の信号を出力する。
【００３０】
表示領域１１０は、画像を表示する領域である。表示領域１１０は、ｍ本の走査線１１２、（ｋ×ｎ）本のデータ線１１４、および（ｍ×ｋ×ｎ）個の画素１１１を有する。ｍは、１以上の整数である。画素１１１は、走査線１１２とデータ線１１４との交差に対応して設けられ、ｍ行×（ｋ×ｎ）列のマトリクス状に配列される。走査線１１２は、走査信号Ｙ１、Ｙ２、Ｙ３…Ｙｍを伝送する信号線であり、走査線駆動回路１３０から行方向（ｘ方向）に沿って設けられている。データ線１１４は、データ信号を伝送する信号線であり、データ線選択回路１５０から列方向（ｙ方向）に沿って設けられている。
【００３１】
表示領域１１０において、ｋ本（列）のデータ線１１４に対応するｋ×ｍ個の画素１１１が、１つの画素群（ブロック）を形成している。例えば、複数（ｍ個）の第１画素１１１ａがｙ方向に沿って配列された第１画素列１１１ｅがＸ方向に沿って複数（ｋ列）配列された第１画素群１１１ｈと、複数（ｍ個）の第２画素１１１ｂがｙ方向に沿って配列された第２画素列１１１ｆがＸ方向に沿って複数（ｋ列）配列された第２画素群１１１ｉとが設けられている。ここで、同一の画素群に属する画素１１１は、データ線選択回路１５０を介して同一の画像信号線１６０に接続されている。従って、電気光学パネル１００は、ｎ本（列）の画像信号線１６０あるいはｎ個の画像信号入力端子１６１によってｎ個のブロックに区分されたｎ個（列）の画素群を有することになる。
【００３２】
以下の説明において、複数の走査線１１２の各々を区別する必要があるときは、第１行、第２行、第３行、…、および第ｍ行の走査線１１２と表す。複数のデータ線１１４の各々を区別する必要があるときは、第１列、第２列、第３列、…第（ｋ×ｎ）列のデータ線１１４と表す。画像信号線１６０についても同様である。
【００３３】
走査線駆動回路１３０は、マトリクス状に配置された複数の画素１１１の中から、データを書き込む行を選択する。具体的には、走査線駆動回路１３０は、複数の走査線１１２の中から１本の走査線１１２を選択するための走査信号を出力する。走査線駆動回路１３０は、第１行、第２行、第３行、…第ｍ行の走査線１１２に、走査信号Ｙ１、Ｙ２、Ｙ３、…Ｙｍを供給する。走査信号Ｙ１、Ｙ２、Ｙ３、…Ｙｍは、例えば、順次排他的にハイレベルとなる信号である。
【００３４】
データ線選択回路１５０は、各画素群において、画像信号を書き込む画素１１１の列（画素列）を選択する。具体的には、データ線選択回路１５０は、その画素群に属するｋ本のデータ線１１４の中から少なくとも１本のデータ線１１４を、選択信号ＳＥＬ［１］〜ＳＥＬ［ｋ］に応じて選択する。データ線１１４は、ｋ本を単位として、データ線選択回路１５０により、１本ずつ１本の画像信号線１６０に接続される。本形態において、データ線選択回路１５０は、ｎ個の画素群の各々に対応するｎ個のデマルチプレクサー１５１を有する。デマルチプレクサー１５１および画素１１１の詳細構成は、図３を参照して後述する。
【００３５】
画像信号線１６０は、画像信号入力端子１６とデータ線選択回路１５０との間を接続する。画像信号線１６０は、画像信号入力端子１６を介して、第１配線基板３１および第２配線基板３２から入力された画像信号Ｓ（Ｓ［１］〜Ｓ［ｎ］）を、データ線選択回路１５０に伝送する信号線であり、ｎ個の画像信号入力端子１６あるいはｎ個の画素群の各々に対応して、ｎ列（本）設けられている。画像信号Ｓは、画素１１１に書き込まれるデータを示す信号である。ここで、「画像」は静止画または動画をいう。１本の画像信号線１６０は、データ線選択回路１５０を介してｋ本のデータ線１１４に接続される。従って、画像信号Ｓにおいては、これらｋ本のデータ線１１４に供給されるデータが時分割多重されている。
【００３６】
選択信号線１４０は、選択信号入力端子１４５とデータ線選択回路１５０のデマルチプレクサー１５１の間を接続する。選択信号線１４０（１４０［１］〜１４０［ｋ］）は、選択信号入力端子１４５（１４５［１］〜１４５［ｋ］）から入力された選択信号ＳＥＬ（ＳＥＬ［１］〜ＳＥＬ［ｋ］）を伝送する信号線であり、ｋ本設けられる。選択信号ＳＥＬは、順次ハイレベルとなる信号である。
【００３７】
画像信号入力端子１６は、第１配線基板３１および第２配線基板３２が接続される端子（電極パッド）であり、画像信号Ｓ［ｊ］が供給される（ｊは、１≦ｊ≦ｎを満たす整数）。この例では、第１駆動用ＩＣ２１から、第１列、第３列、第５列、…第（２ｔ−１）列の奇数列の画像信号線１６０に対応する画像信号入力端子１６に、画像信号Ｓ［１］、Ｓ［３］、Ｓ［５］、…Ｓ［２ｔ−１］が供給される（ｔは１≦ｔ≦ｎ/２の整数）。また、第２駆動用ＩＣ２２から、第２列、第４列、第６列、…第（２ｔ）列の偶数列の画像信号線１６０に対応する画像信号入力端子１６に、画像信号Ｓ［２］、Ｓ［４］、Ｓ［６］、…Ｓ［２ｔ］が供給される。画像信号Ｓは、いわゆるデータ信号であり、画像信号入力端子１６には、画像の表示に応じた異なる波形のアナログ信号が供給される。
【００３８】
選択信号入力端子１４５は、第１配線基板３１および第２配線基板３２に接続される端子（電極パッド）であり、パルス信号からなる選択信号ＳＥＬが供給される。選択信号ＳＥＬは、データ線選択回路１５０において、データ線１１４を選択するタイミング信号である。選択信号入力端子１４５は、第１配線基板３１が接続される端子、および第２配線基板３２に接続される端子が含まれており、第１配線基板３１の第１駆動用ＩＣ２１および第２配線基板３２の第２駆動用ＩＣ２２の両方あるいは一方から選択信号ＳＥＬが供給される。本形態では、第１配線基板３１および第２配線基板３２の各々に対応する選択信号入力端子１４５には、同じ波形の選択信号ＳＥＬが供給される。従って、選択信号入力端子１４５については、第１配線基板３１が接続される端子、および第２配線基板３２に接続される端子を区別せずに示してある。
【００３９】
電源端子１７１、電源端子１７２、および電源端子１７３は、第１配線基板３１および第２配線基板３２に接続される端子（電極パッド）であり、第１駆動用ＩＣ２１および第２配線基板３２を経由せずに、上位回路から第１配線基板３１および第２配線基板３２を介して電源電圧が供給される。電源電圧とは、電気光学パネル１００において電源として用いられる電圧であり、この例では直流電圧である。電源端子１７１は電圧ＬＣＣＯＭを供給するための端子であり、電源端子１７２は電圧ＶＳＳＹを供給するための端子であり、電源端子１７３は電圧ＶＤＤＹを供給するための端子である。電圧ＬＣＣＯＭは、液晶層に印加される電圧の基準電位となる電圧である。電圧ＶＳＳＹは、走査線駆動回路１３０における低電圧側の電源電位となる電圧である。電圧ＶＤＤＹは、走査線駆動回路１３０における高電圧側の電源電位となる電圧である。
【００４０】
電源端子１７１、１７２、１７３は各々、ｘ方向の両側に設けられることがある。走査線駆動回路１３０が素子基板１０１の左右両側に１つずつ設けられる構成に対応するためである。本形態では、走査線駆動回路１３０が１つだけ構成されているため、電源端子１７２、１７３は、ｘ方向の片側だけに設けられている。
【００４１】
（デマルチプレクサー１５１および画素１１１の構成）
図３は、図２に示す画素１１１およびデータ線選択回路１５０の構成を示す説明図である。図３では、表示領域１１０の第ｉ行の第（ｋ×ｊ−ｋ＋１）列〜第（ｋ×ｊ）列の画素１１１と、それらに対応するデマルチプレクサー１５１が示されている（ｉは、１≦ｉ≦ｍを満たす整数）。
【００４２】
画素１１１は、ＴＦＴ（Thin Film Transistor）等からなる画素スイッチング素子１１６と、画素電極１１８と、液晶層１２０と、共通電極１０８と、保持容量１１７とを有する。画素スイッチング素子１１６は、画素電極１１８へのデータの書き込み（電圧の印加）を制御するスイッチング素子であり、本形態において、画素スイッチング素子１１６は、ｎチャネル型の電界効果トランジスターである。画素スイッチング素子１１６のゲート電極は走査線１１２に接続され、ソース電極はデータ線１１４に接続され、ドレイン電極は画素電極１１８に接続されている。走査線１１２にハイレベルの走査信号が供給されると画素スイッチング素子１１６はオン状態になり、画素電極１１８に画像信号が供給される。走査線１１２にローレベルの走査信号が供給されると画素スイッチング素子１１６はオフ状態になる。共通電極１０８はすべての画素１１１について共通である。共通電極１０８には共通電圧ＬＣＣＯＭが印加される。液晶層１２０には、画素電極１１８と共通電極１０８との電位差に相当する電圧が印加され、この電圧に応じて光学的特性（透過率または反射率）が変化する。保持容量１１７は、画素電極１１８と共通電圧ＶＣＯＭとの電位差に相当する電荷を保持する。本形態において、共通電圧ＶＣＯＭと共通電圧ＬＣＣＯＭとは等しい。以下、ある特定の画素群において画素１１１に含まれる要素の各々を区別するときは、画素スイッチング素子１１６［ｓ］のように表記して区別する（ｓは、１≦ｓ≦ｋを満たす整数）。
【００４３】
デマルチプレクサー１５１は、選択信号ＳＥＬ［１］〜ＳＥＬ［ｋ］に応じて選択されたデータ線１１４に、画像信号Ｓを供給する回路である。例えば、デマルチプレクサー１５１は、図２に示す第１画素群１１１ｈおよび第２画素群１１１ｉの各々から画像信号の供給先となる第１画素列１１１ｅおよび第２画素列１１１ｆを選択する。デマルチプレクサー１５１には、画像信号入力端子１６から入力された画像信号Ｓが、画像信号線１６０を介して供給される。一つのデマルチプレクサー１５１は、１つの画像信号入力部と、ｋ個の選択信号入力部と、ｋ個の画像信号出力部と、ｋ個のスイッチング素子１５２（１５２［１］〜１５２［ｋ］）とを有し、画像信号線１６０を介して１つの画像信号入力端子１６１と、選択信号線１４０を介してｋ個の選択信号入力端子１４５（１４５［１］〜１４５［ｋ］）と、ｋ個のデータ線１１４とに接続される。スイッチング素子１５２は、ゲートに入力される選択信号ＳＥＬに応じてデータ線１１４（画素列）を選択するためのスイッチング素子である。
【００４４】
スイッチング素子１５２［１］のゲート電極は、選択信号線１４０［１］に接続され、ソース電極は第ｊ列の画像信号線１６０に接続され、ドレイン電極は第（４ｊ−３）列のデータ線１１４（すなわち、第ｊ番目の画素群の画素スイッチング素子１１６［１］のソース電極）に接続されている。選択信号線１４０［１］にハイレベルの選択信号ＳＥＬ［１］が供給されるとスイッチング素子１５２はオン状態になり、第ｊ列の画像信号線１６０と第（４ｊ−３）列のデータ線１１４とが低インピーダンス状態になり導通する。すなわち、第（４ｊ−３）列のデータ線１１４に画像信号Ｓ［ｊ］が供給される。選択信号線１４０［１］にローレベルの選択信号ＳＥＬ［１］が供給されるとスイッチング素子１５２［１］はオフ状態になり、第ｊ列の画像信号線１６０と第（４ｊ−３）列のデータ線１１４とが高インピーダンス状態になる。
【００４５】
スイッチング素子１５２［２］のゲート電極は、選択信号線１４０［２］に接続され、ソース電極は第ｊ列の画像信号線１６０に接続され、ドレイン電極は第（４ｊ−２）列のデータ線１１４に接続されている。選択信号線１４０［２］にハイレベルの選択信号ＳＥＬ［２］が供給されるとスイッチング素子１５２［２］はオン状態になり、第ｊ列の画像信号線１６０と第（４ｊ−２）列のデータ線１１４とが導通する。すなわち、第（４ｊ−２）列のデータ線１１４に画像信号Ｓ［ｊ］が供給される。選択信号線１４０［２］にローレベルの選択信号ＳＥＬ［２］が供給されるとスイッチング素子１５２［２］はオフ状態になり、第ｊ列の画像信号線１６０と第（４ｊ−２）列のデータ線１１４とが高インピーダンス状態になる。
【００４６】
スイッチング素子１５２［３］のゲート電極は、選択信号線１４０［３］に接続され、ソース電極は第ｊ列の画像信号線１６０に接続され、ドレイン電極は第（４ｊ−１）列のデータ線１１４（すなわち、第ｊ番目の画素群の画素スイッチング素子１１６［３］のソース電極）に接続されている。選択信号線１４０［３］にハイレベルの選択信号ＳＥＬ［３］が供給されるとスイッチング素子１５２［３］はオン状態になり、第ｊ列の画像信号線１６０と第（４ｊ−１）列のデータ線１１４とが導通する。すなわち、第（４ｊ−１）列のデータ線１１４に画像信号Ｓ［ｊ］が供給される。選択信号線１４０［３］にローレベルの選択信号ＳＥＬ［３］が供給されるとスイッチング素子１５２［３］はオフ状態になり、第ｊ列の画像信号線１６０と第（４ｊ−１）列のデータ線１１４とが高インピーダンス状態になる。
【００４７】
スイッチング素子１５２［４］のゲート電極は、選択信号線１４０［４］に接続され、ソース電極は第ｊ列の画像信号線１６０に接続され、ドレイン電極は第４ｊ列のデータ線１１４（すなわち、第ｊ列の画素群の画素スイッチング素子１１６［４］のソース電極）に接続されている。選択信号線１４０［４］にハイレベルの選択信号ＳＥＬ［４］が供給されるとスイッチング素子１５２［４］はオン状態になり、第ｊ列の画像信号線１６０と第４ｊ列のデータ線１１４とが導通する。すなわち、第４ｊ列のデータ線１１４に画像信号Ｓ［ｊ］が供給される。選択信号線１４０［４］にローレベルの選択信号ＳＥＬ［４］が供給されるとスイッチング素子１５２［４］はオフ状態になり、第ｊ列の画像信号線１６０と第４ｊ列のデータ線１１４とが高インピーダンス状態になる。
【００４８】
（動作）
図４は、図１に示す電気光学装置１の動作例を示すタイミングチャートである。図４では、水平同期信号Ｈｓｙｎｃ、走査信号Ｙ１、Ｙ２、Ｙ３…Ｙｍ、走査信号Ｙ１、Ｙ２、Ｙ３、…Ｙｍがハイレベルのタイミングに対応した選択信号ＳＥＬ［１］〜［ｋ］、および画像信号Ｓ［１］〜［ｎ］を図示している。
【００４９】
画像信号Ｓ［ｊ］には、対応する画素群のｋ本の画素１１１である第［ｋ×ｊ−ｋ＋１］〜第［ｋ×ｊ］列の画素１１１に書き込まれるデータが時分割多重されている。また、Ｓ［ｊ］が奇数番目のＳ［２ｔ−１］である場合は、第１駆動用ＩＣ２１から奇数番目の画素群のデータ線１１４に供給される。また、Ｓ［ｊ］が偶数番目のＳ［２ｔ］である場合は、第２駆動用ＩＣ２２から偶数番目の画素群のデータ線１１４に供給される。かかる構成によれば、第１駆動用ＩＣ２１および第２駆動用ＩＣ２２の２つの駆動用ＩＣを用いているため、１つの駆動用ＩＣを用いた場合と比較して１周期で２倍の画素に対してデータの書き込みを行うことができる。
【００５０】
図４に示すタイミングチャートに基づいて画像を表示するにあたって、本形態では、１つの水平走査期間Ｈ毎にプリチャージ期間Ｔｐｒが設けられており、かかるプリチャージ期間Ｔｐｒでは、画像信号Ｓ１〜Ｓ（ｎ）がプリチャージ電圧Ｖｐｒに設定される。かかるプリチャージ電圧Ｖｐｒは、画像信号Ｓ１〜Ｓ（ｎ）と同様、第１駆動用ＩＣ２１および第２駆動用ＩＣ２２から出力される。また、プリチャージ期間Ｔｐｒでは、選択信号ＳＥＬ［１］〜［ｋ］がハイレベルとなる。従って、１つの水平走査期間Ｈ毎に、全てのデータ線１１４に対して、データ線選択回路１５０を介してプリチャージ電圧Ｖｐｒが供給され、その後、画像信号Ｓ１〜Ｓ［ｎ］が供給される。
【００５１】
本形態において、電気光学装置１では、１フレーム毎に画像信号Ｓ１〜Ｓ（ｎ）の極性が反転する駆動方式が採用されている。従って、プリチャージ期間Ｔｐｒにおいて正極性の第１プリチャージ電圧Ｖｐｒ１が全てのデータ線１１４に供給された後、次の水平走査期間Ｈでは、プリチャージ期間Ｔｐｒにおいて負極性の第２プリチャージ電圧Ｖｐｒ２が全てのデータ線１１４に供給される。
【００５２】
（駆動用ＩＣ２の構成）
図５を参照して、図１に示す駆動用ＩＣ２の構成を説明する。図５は、図１に示す駆動用ＩＣ２の構成を示す説明図である。なお、以下の説明では、第１駆動用ＩＣ２１と第２駆動用ＩＣ２２とは構成が同一であるため、第１駆動用ＩＣ２１および第２駆動用ＩＣ２２を区別せずに、駆動用ＩＣ２として説明する。また、図５では、特徴が分かりやすいように、駆動用ＩＣ２に形成される配線や回路等のうち、画像信号の出力回路２４０に関係する部分のみを示してある。
【００５３】
図５において、駆動用ＩＣ２（第１駆動用ＩＣ２１と第２駆動用ＩＣ２２）は、画像信号を出力する複数（ｎ／２個）の出力回路２４０と、１フレーム分の画像データを１水平走査期間Ｈ毎のデジタルデータに変換して出力回路２４０に出力するデータ処理回路２００と、各種信号や電圧を出力するタイミングを制御する制御回路２５０とを有している。データ処理回路２００および制御回路２５０には、図１に示す配線基板３から駆動用ＩＣ２の入力端子２８１を介して各種データや信号が入力される。複数の出力回路２４０は、駆動用ＩＣ２の一方方向Ａに配列されており、一方方向Ａは、駆動用ＩＣ２の長辺に沿う方向である。なお、図示を省略するが、駆動用ＩＣ２には選択信号ＳＥＬの生成回路や出力回路も形成されている。
【００５４】
複数の出力回路２４０は各々、データ処理回路２００から出力されたデジタルデータをアナログ信号に変換するＤＡ変換回路２０３と、ＤＡ変換回路２０３から出力されたアナログ信号を増幅するオペアンプ２０４とを有しており、オペアンプ２０４から他方方向Ｂ（一方方向Ａに対して交差する方向；駆動用ＩＣ２の短辺に沿う方向）に延在する出力線２０８の先端は、駆動用ＩＣ２の出力端子２８２に接続されている。出力線２０８の途中位置にはスイッチ２０５が挿入されており、スイッチ２０５は、制御回路２５０の制御の下、開閉動作を行う。なお、出力端子２８２のうち、第１出力端子２８２ａは、図２に示す第１画素群１１１ｈに画像信号を出力し、第２出力端子２８２ｂは、図２に示す第２画素群１１１ｉに画像信号を出力する。
【００５５】
駆動用ＩＣ２では、一方方向Ａに延在する第１配線２６が延在しており、かかる第１配線２６には、図１に示す配線基板３から駆動用ＩＣ２の入力端子２８３を介して正極性の第１プリチャージ電圧Ｖｐｒ１が供給される。第１配線２６は、全ての出力線２０８のスイッチ２０５と出力端子２８２とを接続する部分に対してスイッチ２０６を介して接続している。スイッチ２０６は、制御回路２５０の制御の下、開閉動作を行う。
【００５６】
また、駆動用ＩＣ２には、一方方向Ａに延在する第２配線２７が延在しており、かかる第２配線２７には、図１に示す配線基板３から駆動用ＩＣ２の入力端子２８６を介して負極性の第２プリチャージ電圧Ｖｐｒ２が供給される。第２配線２７は、全ての出力線２０８のスイッチ２０５と出力端子２８２とを接続する部分に対してスイッチ２０７を介して接続しており、スイッチ２０７は、制御回路２５０の制御の下、開閉動作を行う。
【００５７】
従って、図５に示すプリチャージ期間Ｔｐｒにおいて、スイッチ２０６をオン状態とし、スイッチ２０５、２０７をオフ状態にすれば、駆動用ＩＣ２は、出力線２０８、出力端子２８２および配線基板３を介して電気光学パネル１００に第１プリチャージ電圧Ｖｐｒ１を出力するので、第１プリチャージ電圧Ｖｐｒ１を全てのデータ線１１４に供給することができる。その後、スイッチ２０５をオン状態とし、スイッチ２０６、２０７をオフ状態にすれば、駆動用ＩＣ２は、出力線２０８、出力端子２８２および配線基板３を介して電気光学パネル１００に画像信号を供給することができる。
【００５８】
また、図５に示す次の水平走査期間Ｈのプリチャージ期間Ｔｐｒにおいて、スイッチ２０７をオン状態とし、スイッチ２０５、２０６をオフ状態にすれば、駆動用ＩＣ２は、出力線２０８、出力端子２８２および配線基板３を介して電気光学パネル１００に第２プリチャージ電圧Ｖｐｒ２を出力し、第２プリチャージ電圧Ｖｐｒ２を全てのデータ線１１４に供給することができる。その後、スイッチ２０５をオン状態とし、スイッチ２０６、２０７をオフ状態にすれば、駆動用ＩＣ２は、出力線２０８、出力端子２８２および配線基板３を介して電気光学パネル１００に画像信号を供給することができる。
【００５９】
（実装構造体４の配線補強構構造の第１例）
図６は、図５に示す第１配線２６および第２配線２７に対する補強構造の第１例を模式的に示す説明図である。図６では、特徴が分かりやすいように、駆動用ＩＣ２の端子や、配線基板３の電極および配線を少なく示してある。また、駆動用ＩＣ２に形成される配線や回路等については、プリチャージ電圧Ｖｐｒが印加される配線のみを示してある。また、以下の説明では、第１駆動用ＩＣ２１および第２駆動用ＩＣ２２を区別せずに、駆動用ＩＣ２とし、第１配線基板３１および第２配線基板３２を区別せずに配線基板３とし、第１実装構造体４１および第２実装構造体４２を区別せずに実装構造体４として説明する。
【００６０】
図６に示す実装構造体４において、配線基板３では、電気光学パネル１００の側とは反対側に位置する一方側の端部に上位回路（図示せず）と接続される複数の入力電極３０１が配列され、他方側の端部には、電気光学パネル１００と接続される複数の出力電極３０２が形成されている。また、配線基板３の入力電極３０１と出力電極３０２との間には、駆動用ＩＣ２が実装される実装領域３０が形成されている。
【００６１】
実装領域３０において、入力電極３０１の側の端部には、駆動用ＩＣ２の入力端子２８１等が接続される電極３８１が一方方向Ａに沿って配列されている。電極３８１には、駆動用ＩＣ２の入力端子２８３が接続される電極３８３と、駆動用ＩＣ２の入力端子２８６が接続される電極３８６とが含まれている。複数の入力電極３０１は各々、複数の電極３８１に配線３４を介して接続している。また、実装領域３０において、出力電極３０２の側の端部には、駆動用ＩＣ２の出力端子２８２が接続される複数の電極３８２が一方方向Ａに沿って配列されている。複数の電極３８２は各々、複数の出力電極３０２に配線３５を介して接続している。
【００６２】
配線基板３において、複数の電極３８２が配列されている領域に対して一方方向Ａと反対側で隣り合う領域には、配線３５が接続されていない２つの電極３８４、３８７が形成され、複数の電極３８２に対して電極３８４、３８７とは反対側の領域（電極３８４、３８７に対して一方方向Ａで離間する領域）には、配線３５が接続されていない２つの電極３８５、３８８が形成されている。これに対して、駆動用ＩＣ２において、複数の出力端子２８２が配列されている領域に一方方向Ａの反対側で隣り合う領域には、電極３８４と接続する端子２８４と、電極３８７と接続する端子２８７とが形成されている。また、駆動用ＩＣ２において、複数の出力端子２８２に対して端子２８４、２８７とは反対側の領域（端子２８４、２８７に対して一方方向Ａで離間する領域）には、電極３８５と接続する端子２８５と、電極３８８と接続する端子２８８とが形成されている。
【００６３】
本形態において、端子２８４は、入力端子２８３に対して他方方向Ｂで離間する位置に配置され、端子２８７は、入力端子２８６に対して他方方向Ｂで離間する位置に配置されている。従って、配線基板３において、電極３８４は、電極３８３に対して他方方向Ｂで離間する位置に配置され、電極３８７は、電極３８６に対して他方方向Ｂで離間する位置に配置されている。
【００６４】
本形態において、各入力端子２８３、端子２８４、２８５、および電極３８３、３８４、３８５と、本発明における「第１端子」、「第２端子」、「第３端子」、「第１電極」、「第２電極」、「第３電極」との関係は以下の通りである。
入力端子２８３＝本発明における「第１端子」
端子２８４＝本発明における「第２端子」
端子２８５＝本発明における「第３端子」
電極３８３＝本発明における「第１電極」
電極３８４＝本発明における「第２電極」
電極３８５＝本発明における「第３電極」
【００６５】
このように構成した実装構造体４において、第１配線２６は、一方方向Ａの反対側の端部が入力端子２８３（第１端子）に接続されており、入力端子２８３は電極３８３（第１電極）に接続されている。従って、配線基板３は、第１配線２６の一方方向Ａの反対側の端部のみを介して第１配線２６に第１プリチャージ電圧Ｖｐｒ１を給電する。ここで、第１配線２６は、入力端子２８３（第１端子）と端子２８４（第２端子）とを接続する接続する第１部分２６１と、第１部分２６１から一方方向Ａに延在する第２部分２６２と、第２部分２６２から延在して端子２８５（第３端子）に接続する第３部分２６３とを備えている。また、配線基板３は、駆動用ＩＣ２と重なる位置に第１配線２６に並列に電気的に接続された第１補強線３６を有している。本形態において、第１補強線３６は、電極３８４（第２電極）と電極３８５（第３電極）とに接続しており、第１配線２６の延在方向の両側の端部に電気的に接続されている。
【００６６】
また、本形態の実装構造体４において、第２配線２７は、一方方向Ａの反対側の端部が入力端子２８６（第４端子）に接続されており、入力端子２８６は電極３８６（第４電極）に接続されている。従って、配線基板３は、第２配線２７の一方方向Ａの反対側の端部のみを介して第２配線２７に第２プリチャージ電圧Ｖｐｒ２を給電する。ここで、第２配線２７は、入力端子２８６（第４端子）と端子２８７（第５端子）とを接続する接続する第４部分２７１と、第４部分２７１から一方方向Ａに延在する第５部分２７２と、第５部分２７２から延在して端子２８８（第６端子）に接続する第６部分２７３とを備えている。また、配線基板３は、駆動用ＩＣ２と重なる位置に第２配線２７に並列に電気的に接続された第２補強線３７を有している。本形態において、第２補強線３７は、電極３８７（第５電極）と電極３８８（第６電極）とに接続しており、第２配線２７の延在方向の両側の端部に電気的に接続されている。
【００６７】
従って、本形態の電気光学装置１および実装構造体４では、駆動用ＩＣ２の内部で一方方向Ａに延在する第１配線２６に対して、配線基板３に形成された第１補強線３６が並列に電気的に接続しているため、第１配線２６の抵抗を低下させたのと同様な効果を奏する。従って、第１配線２６が延在する一方方向Ａにおいて、第１配線２６の電圧が変動しにくい。それ故、電気光学パネル１００の第１画素群１１１ｈおよび第２画素群１１１ｉ等の各画素群に供給する第１プリチャージ電圧Ｖｐｒ１がばらつくという事態が発生しにくい。
【００６８】
また、駆動用ＩＣ２の内部で一方方向Ａに延在する第２配線２７に対して、配線基板３に形成された第２補強線３７が並列に電気的に接続しているため、第２配線２７の抵抗を低下させたのと同様な効果を奏する。従って、第２配線２７が延在する一方方向Ａにおいて、第２配線２７の電圧が変動しにくい。それ故、電気光学パネル１００の第１画素群１１１ｈおよび第２画素群１１１ｉ等の各画素群に供給する第２プリチャージ電圧Ｖｐｒ２がばらつくという事態が発生しにくい。
【００６９】
また、第１補強線３６および第２補強線３７は、駆動用ＩＣ２と重なる位置に設けられているので、配線基板３が片面の単層基板であっても、第１補強線３６および第２補強線３７のレイアウトが配線基板３の他の配線の影響を受けにくい。また、配線基板３が片面の単層基板であっても、第１補強線３６および第２補強線３７は、駆動用ＩＣ２と重なる位置に設けられているので、配線基板３における配線のレイアウトに影響を及ぼしにくい。それ故、駆動用ＩＣ２に形成した第１配線２６および第２配線２７に対する補強を適正に行うことができる。
【００７０】
また、第１補強線３６は、第１配線２６の抵抗を低下させたのと同様な効果を奏し、第２補強線３７は、第２配線２７の抵抗を低下させたのと同様な効果を奏する。従って、配線基板３から第１配線２６および第２配線２７に電圧を供給する電極３８３、３８６や入力端子２８３、２８６を各々、駆動用ＩＣ２の長辺方向の１個所に設ければよいという利点がある。
【００７１】
（実装構造体４の配線補強構構造の第２例）
図７は、図５に示す第１配線２６および第２配線２７に対する補強構造の第２例を模式的に示す説明図である。なお、本例の基本的な構成は、図６を参照して説明した形態と同様であるため、共通する部分には同一の符号を付して図示し、それらの説明を省略する。
【００７２】
図７に示すように、本形態においても、図６を参照した形態と同様、第１配線２６は、入力端子２８３（第１端子）と端子２８４（第２端子）とを接続する接続する第１部分２６１と、第１部分２６１から一方方向Ａに延在する第２部分２６２と、第２部分２６２から延在して端子２８５（第３端子）に接続する第３部分２６３とを備えている。また、配線基板３は、駆動用ＩＣ２と重なる位置に第１配線２６に並列に電気的に接続された第１補強線３６を有している。本形態において、第１補強線３６は、電極３８４（第２電極）と電極３８５（第３電極）とに接続するとともに、電極３８３（第１電極）と電極３８４（第２電極）とに接続しており、第１配線２６の延在方向の両側の端部に電気的に接続されている。
【００７３】
また、本形態の実装構造体４において、第２配線２７は、入力端子２８６（第４端子）と端子２８７（第５端子）とを接続する接続する第４部分２７１と、第４部分２７１から一方方向Ａに延在する第５部分２７２と、第５部分２７２から延在して端子２８８（第６端子）に接続する第６部分２７３とを備えている。また、配線基板３は、駆動用ＩＣ２と重なる位置に第２配線２７に並列に電気的に接続された第２補強線３７を有している。本形態において、第２補強線３７は、電極３８７（第５電極）と電極３８８（第６電極）とに接続するとともに、電極３８６（第４電極）と電極３８７（第５電極）とに接続しており、第２配線２７の延在方向の両側の端部に電気的に接続されている。
【００７４】
かかる形態でも、図６を参照して説明した形態と同様、駆動用ＩＣ２の内部で一方方向Ａに延在する第１配線２６に対して、配線基板３に形成された第１補強線３６が並列に電気的に接続している。このため、第１配線２６の抵抗を低下させたのと同様な効果を奏する等、図６を参照して説明した形態と同様な効果を奏する。
【００７５】
（実装構造体４の配線補強構構造の第３例）
図８は、図５に示す第１配線２６および第２配線２７に対する補強構造の第３例を模式的に示す説明図である。なお、本例の基本的な構成は、図６を参照して説明した形態と同様であるため、共通する部分には同一の符号を付して図示し、それらの説明を省略する。
【００７６】
図８に示す実装構造体４において、配線基板３には、複数の電極３８２が配列されている領域に対して一方方向Ａで離間する領域には、配線３５が接続されていない２つの電極３８５、３８８が形成されており、図６に示す電極３８４、３８７が形成されていない。これに対して、駆動用ＩＣ２には、複数の出力端子２８２が配列されている領域に対して一方方向Ａで離間する領域には、電極３８５と接続する端子２８５と、電極３８８と接続する端子２８８とが形成されており、図６に示す端子２８４、２８７が形成されていない。
【００７７】
本形態において、各入力端子２８３、端子２８５、および電極３８３、３８５と、本発明における「第１端子」、「第２端子」、「第１電極」、「第２電極」との関係は以下の通りである。
入力端子２８３＝本発明における「第１端子」
端子２８５＝本発明における「第２端子」
電極３８３＝本発明における「第１電極」
電極３８５＝本発明における「第２電極」
【００７８】
このように構成した実装構造体４において、第１配線２６は、一方方向Ａの反対側の端部が入力端子２８３（第１端子）に接続されており、入力端子２８３は電極３８３（第１電極）に接続されている。従って、配線基板３は、第１配線２６の一方方向Ａの反対側の端部のみを介して第１配線２６に第１プリチャージ電圧Ｖｐｒ１を供給している。そこで、本形態では、第１配線２６は、入力端子２８３（第１端子）から端子２８５（第２端子）まで延在している。また、配線基板３は、駆動用ＩＣ２と重なる位置に第１配線２６に並列に電気的に接続された第１補強線３６を有している。本形態において、第１補強線３６は、電極３８３（第１電極）から電極３８５（第２電極）まで延在しており、第１配線２６の延在方向の両側の端部に電気的に接続されている。
【００７９】
また、第２配線２７は、一方方向Ａの反対側の端部が入力端子２８６に接続されており、入力端子２８６は電極３８６に接続されている。従って、配線基板３は、第２配線２７の一方方向Ａの反対側の端部のみを介して第２配線２７に第２プリチャージ電圧Ｖｐｒ２を供給している。そこで、本形態では、第２配線２７は、入力端子２８６から端子２８８まで延在している。また、配線基板３は、駆動用ＩＣ２と重なる位置に第２配線２７に並列に電気的に接続された第２補強線３７を有している。本形態において、第２補強線３７は、電極３８６から電極３８８まで延在しており、第２配線２７の延在方向の両側の端部に電気的に接続されている。
【００８０】
かかる形態でも、図６を参照して説明した形態と同様、駆動用ＩＣ２の内部で一方方向Ａに延在する第１配線２６に対して、配線基板３に形成された第１補強線３６が並列に電気的に接続している。このため、第１配線２６の抵抗を低下させたのと同様な効果を奏する等、図６を参照して説明した形態と同様な効果を奏する。
【００８１】
［他の実施の形態］
上記実施の形態では、配線基板３がフレキシブル配線基板であったが、剛性配線基板からなる配線基板３に駆動用ＩＣ２が実装されている場合に本発明を適用してもよい。また、上記実施の形態では、電気光学パネル１００に接続された配線基板３に駆動用ＩＣ２が実装された実装構造体４に本発明を適用したが、素子基板１０１に駆動用ＩＣ２がＣＯＧ（Chip On Glass）実装された実装構造体に本発明を適用してもよい。
【００８２】
［電子機器への搭載例］
上述した実施形態に係る電気光学装置１を用いた電子機器について説明する。図９は、本発明を適用した電気光学装置１を用いた投射型表示装置（電子機器）の概略構成図である。
【００８３】
図９に示す投射型表示装置２１００は、電気光学装置１を用いた電子機器の一例である。投射型表示装置２１００において、電気光学装置１がライトバルブとして用いられ、装置を大きくすることなく高精細で明るい表示が可能である。この図に示されるように、投射型表示装置２１００の内部には、ハロゲンランプ等の白色光源を有するランプユニット２１０２（光源部）が設けられている。ランプユニット２１０２から射出された投射光は、内部に配置された３枚のミラー２１０６および２枚のダイクロイックミラー２１０８によってＲ（赤）色、Ｇ（緑）色、Ｂ（青）色の３原色に分離される。分離された投射光は、各原色に対応するライトバルブ１００Ｒ、１００Ｇおよび１００Ｂにそれぞれ導かれる。なお、Ｂ色の光は、他のＲ色やＧ色と比較すると光路が長いので、その損失を防ぐために、入射レンズ２１２２、リレーレンズ２１２３および出射レンズ２１２４を有するリレーレンズ系２１２１を介して導かれる。
【００８４】
投射型表示装置２１００において、電気光学装置１を含む液晶装置が、Ｒ色、Ｇ色、Ｂ色のそれぞれに対応して３組設けられている。ライトバルブ１００Ｒ、１００Ｇおよび１００Ｂの構成は、上述した電気光学パネル１００と同様であり、それぞれ、第１配線基板３１、および第２配線基板３２を介して投射型表示装置２１００内の上位回路と接続される。Ｒ色、Ｇ色、Ｂ色のそれぞれの原色成分の階調レベルを指定する画像信号がそれぞれ外部上位回路から供給されて、投射型表示装置２１００内の上位回路で処理され、ライトバルブ１００Ｒ、１００Ｇおよび１００がそれぞれ駆動される。ライトバルブ１００Ｒ、１００Ｇ、１００Ｂによってそれぞれ変調された光は、ダイクロイックプリズム２１１２に３方向から入射する。そして、ダイクロイックプリズム２１１２において、Ｒ色およびＢ色の光は９０度に反射し、Ｇ色の光は透過する。したがって、各原色の画像が合成された後、スクリーン２１２０には、投射レンズ群２１１４（投射光学系）によってカラー画像が投射される。
【００８５】
（他の投射型表示装置）
なお、投射型表示装置については、光源部として、各色の光を出射するＬＥＤ光源等を用い、かかるＬＥＤ光源から出射された色光を各々、別の液晶装置に供給するように構成してもよい。
【００８６】
（他の電子機器）
本発明を適用した電気光学装置１を備えた電子機器は、上記実施形態の投射型表示装置２１００に限定されない。例えば、投射型のＨＵＤ（ヘッドアップディスプレイ）や直視型のＨＭＤ（ヘッドマウントディスプレイ）、パーソナルコンピューター、デジタルスチルカメラ、液晶テレビ等の電子機器に用いてもよい。
【符号の説明】
【００８７】
１…電気光学装置、２…駆動用ＩＣ、３…配線基板、３４、３５…配線、４…実装構造体、１０１…素子基板、１６、１６１、１６２…画像信号入力端子、１０２…対向基板、２１…第１駆動用ＩＣ、２２…第２駆動用ＩＣ、２６…第１配線、２７…第２配線、３０…実装領域、３１…第１配線基板、３２…第２配線基板、３６…第１補強線、３７…第２補強線、４１…第１実装構造体、４２…第２実装構造体、８６、３８１、３８２、３８３、３８４、３８５、３８６、３８７、３８８…電極、１００…電気光学パネル、１００Ｂ、１００Ｇ、１００Ｒ…ライトバルブ、１０８…共通電極、１１０…表示領域、１１１…画素、１１１ａ…第１画素、１１１ｂ…第２画素、１１１ｅ…第１画素列、１１１ｆ…第２画素列、１１１ｈ…第１画素群、１１１ｉ…第２画素群、１１２…走査線、１１４…データ線、１１６…画素スイッチング素子、１１８…画素電極、１２０…液晶層、１３０…走査線駆動回路、１４０…選択信号線、１４５…選択信号入力端子、１５０…データ線選択回路（選択回路）、１５１…デマルチプレクサー、１６０…画像信号線、第ｊ列の画像信号線、１７１、１７２、１７３…電源端子、１７４、１７５、１７６…電源線、２００…データ処理回路、２０３…ＤＡ変換回路、２０４…オペアンプ、２０５、２０６、２０７…スイッチ、２０８…出力線、２４０…出力回路、２５０…制御回路、２６１…第１部分、２６２…第２部分、２６３…第３部分、２７１…第４部分、２７２…第５部分、２７３…第６部分、２８１、２８３、２８６…入力端子、２８２…出力端子、２８２ａ…第１出力端子、２８２ｂ…第２出力端子、２８４、２８５、２８７、２８８…端子、３０１…入力電極、３０２、３１２、３２２…出力電極、２１００…投射型表示装置、２１０２…ランプユニット（光源部）、２１０６…ミラー、２１０８…ダイクロイックミラー、２１１２…ダイクロイックプリズム、２１１４…投射レンズ群（投射光学系）、２１２０…スクリーン、２１２１…リレーレンズ系、２１２２…入射レンズ、２１２３…リレーレンズ、２１２４…出射レンズ、Ａ…一方方向、Ｂ…他方方向、Ｈ…水平走査期間、Ｓ…画像信号、Ｙ１、Ｙ２、Ｙ３、Ｙ１〜Ｙ３…走査信号、ＳＥＬ…選択信号、Ｔｐｒ…プリチャージ期間、Ｖｐｒ…プリチャージ電圧、Ｖｐｒ１…第１プリチャージ電圧、Ｖｐｒ２…第２プリチャージ電圧。
【図１】
2020016818.tif 000003
【図２】
2020016818.tif 000004
【図３】
2020016818.tif 000005
【図４】
2020016818.tif 000006
【図５】
2020016818.tif 000007
【図６】
2020016818.tif 000008
【図７】
2020016818.tif 000009
【図８】
2020016818.tif 000010
【図９】
2020016818.tif 000011